(57)【要約】【課題】本発明の目的は、長期に渡り幾度もテンプルを回動させてもテンプルの回動抵抗が極力低下しない眼鏡の丁番構造を提供すること。【解決手段】ヨロイＹにテンプルＴを連結部材Ｃを介して回動自在に取り付ける眼鏡の丁番構造であって、前記連結部材Ｃは、弾性を有し、且つ上側小片部Ｃａと、下側小片部Ｃｂと、これら両小片部を連結する柱状部Ｃｃと、を有し、前記テンプルは、前記柱状部に引掛けるために前記テンプルの先端側が折り返されて形成されるテンプル折返し部Ｔａを有し、前記ヨロイの後端側は、前記連結部材の前記上側小片部Ｃａと前記下側小片部Ｃｂとを挟み込める形状にされ、テンプルＴとヨロイＹが互いに交差するように連結部材に取り付けられた状態で、テンプル折返し部Ｔａが連結部材Ｃにより弾圧されている眼鏡の丁番構造。【選択図】図３
2007101974.tif 000002
【特許請求の範囲】
【請求項１】
ヨロイにテンプルを連結部材を介して回動自在に取り付ける眼鏡の丁番構造であって、
前記連結部材は、弾性を有し、且つ上側小片部と、下側小片部と、これら両小片部を連結する柱状部と、を有し、
前記テンプルは、前記柱状部に引掛けるために前記テンプルの先端側が折り返されて形成されるテンプル折返し部を有し、
前記ヨロイの後端側は、前記連結部材の前記上側小片部と前記下側小片部とを挟み込める形状にされ、
テンプルとヨロイが互いに交差するように連結部材に取り付けられた状態で、テンプル折返し部が連結部材により弾圧されていることを特徴とする眼鏡の丁番構造。
【請求項２】
前記上側小片部と前記下側小片部との少なくとも一方には、前記ヨロイが嵌り込む嵌り込み溝が形成されたことを特徴とする請求項１に記載の眼鏡の丁番構造。
【請求項３】
前記ヨロイは該ヨロイの後端側が折り返されたヨロイ折返し部を有し、
該ヨロイ折返し部に、前記上側小片部と前記下側小片部とが挟み込まれることを特徴とする請求項１に記載の丁番構造。
【請求項４】
前記テンプルを回動させた場合に、前記テンプルはその一部が前記ヨロイ折返し部と当接し前記テンプルの回動が止まることを特徴とする請求項３に記載の眼鏡の丁番構造。
【請求項５】
前記上側小片部と前記下側小片部との少なくとも一方には、前記テンプルが乗り上げるための乗り上げ面が形成されていることを特徴とする請求項１に記載の眼鏡の丁番構造。
【請求項６】
前記ヨロイの後端側には二股部が形成され、
該二股部に、前記上側小片部と前記下側小片部とが挟み込まれることを特徴とする請求項１に記載の眼鏡の丁番構造。
【請求項７】
前記テンプル折返し部には、前記連結部材より前方の位置で前記ヨロイと当接し且つ前記テンプルの回動を止めるための回止め突起が設けられたことを特徴とする請求項６に記載の眼鏡の丁番構造。
【請求項８】
ヨロイにテンプルを連結部材を介して回動自在に取り付ける眼鏡の丁番構造であって、
前記連結部材は、弾性を有し、且つ上側小片部と、下側小片部と、前記上側小片部と前記下側小片部とを連結する柱状部と、を有し、
前記ヨロイは、前記柱状部に引掛けるために前記ヨロイの後端側が折り返されて形成されるヨロイ折返し部を有し、
前記テンプルの先端側は、前記連結部材の前記上側小片部と前記下側小片部とを挟み込める形状にされ、
テンプルとヨロイが互いに交差するように連結部材に取り付けられた状態で、ヨロイのヨロイ折返し部が連結部材により弾圧されていることを特徴とする眼鏡の丁番構造。
【請求項９】
前記テンプルは薄板状に形成され、前記テンプルには前記連結部材を挟み込むためのスリットが形成されたことを特徴とする請求項８に記載の眼鏡の丁番構造。
【請求項１０】
前記上側小片部と前記下側小片部には、前記テンプルの前記スリットの周囲が嵌り込む嵌り込み溝が形成されていることを特徴とする請求項９に記載の眼鏡の丁番構造。
【請求項１１】
前記テンプル及び前記ヨロイは、帯状の線材で形成されていることを特徴とする請求項１に記載の眼鏡の丁番構造。
【発明の詳細な説明】
【技術分野】
【０００１】
本発明は、ヨロイにテンプルを連結部材を介して回動自在に取り付ける眼鏡の丁番構造に関する。
より詳しくは、長期に渡り眼鏡を使用してもテンプルの回動抵抗が低下しない眼鏡の丁番構造に関する。
【背景技術】
【０００２】
従来から、眼鏡において、ヨロイにテンプルを連結部材を介して回動自在に取り付けた丁番構造として、連結部材に連結螺子を用いた丁番構造が各種知られている（例えば、特許文献１参照）。
しかし、螺子を用いた丁番構造では、眼鏡を長期に渡り着用していると振動等により螺子が徐々に緩み、はずれ易い。
また螺子の締付け力は僅かな捩じ込み量の違いにより大きく変化するため、左右のテンプルの回動抵抗が相互に異なったり、テンプルの回動抵抗が製品毎に異なったりする場合が生ずる。
このようなことから、螺子を使用しない眼鏡の丁番構造が種々開発された。
螺子を使用しない構造としては、例えばヨロイに取り付けられた連結部材を、テンプル先端側を折り返して形成された折返し部で挟持する丁番構造が知られている（例えば、特許文献２参照）。
【０００３】
【特許文献１】特開平８−５９６５号公報
【特許文献２】特開２００１−２４９３０８号公報
【発明の開示】
【発明が解決しようとする課題】
【０００４】
しかしながら、特許文献２に代表して示される連結部材を使った眼鏡の丁番構造では、テンプルの折返し部には折返し部を開こうとする復元力が働き、テンプルが連結部材を付勢しながら挟持する構造ではなかったため、テンプルを幾度も回動させるうちに次第に回動抵抗が低下するという問題があった。
また、回動抵抗が低下するとテンプル自体がガタ付く恐れがあった。
本発明は、このような問題点を解決するものである。
すなわち、本発明は、長期に渡り幾度もテンプルを回動させてもテンプルの回動抵抗が極力低下しない眼鏡の丁番構造を提供することを目的とする。
【課題を解決するための手段】
【０００５】
かくして、本発明者は、このような課題背景に対して鋭意研究を重ねた結果、弾性を有する連結部材によりテンプルに弾圧力を与えられ、且つ弾性を有する連結部材をヨロイが挟み込むようにすることで該弾圧力を維持できることを見出し、この知見に基づいて本発明を完成させたものである。
【０００６】
すなわち、本発明は、（１）、ヨロイにテンプルを連結部材を介して回動自在に取り付ける眼鏡の丁番構造であって、前記連結部材は、弾性を有し、且つ上側小片部と、下側小片部と、これら両小片部を連結する柱状部と、を有し、前記テンプルは、前記柱状部に引掛けるために前記テンプルの先端側が折り返されて形成されるテンプル折返し部を有し、前記ヨロイの後端側は、前記連結部材の前記上側小片部と前記下側小片部とを挟み込める形状にされ、テンプルとヨロイが互いに交差するように連結部材に取り付けられた状態で、テンプル折返し部が連結部材により弾圧されている眼鏡の丁番構造に存する。
【０００７】
また、本発明は、（２）、前記上側小片部と前記下側小片部との少なくとも一方には、前記ヨロイが嵌り込む嵌り込み溝が形成された上記（１）に記載の眼鏡の丁番構造に存する。
【０００８】
また、本発明は、（３）、前記ヨロイは該ヨロイの後端側が折り返されたヨロイ折返し部を有し、該ヨロイ折返し部に、前記上側小片部と前記下側小片部とが挟み込まれる上記（１）に記載の丁番構造に存する。
【０００９】
また、本発明は、（４）、前記テンプルを回動させた場合に、前記テンプルはその一部が前記ヨロイ折返し部と当接し前記テンプルの回動が止まる上記（３）に記載の眼鏡の丁番構造に存する。
【００１０】
また、本発明は、（５）、前記上側小片部と前記下側小片部との少なくとも一方には、前記テンプルが乗り上げるための乗り上げ面が形成されている上記（１）に記載の眼鏡の丁番構造に存する。
【００１１】
また、本発明は、（６）、前記ヨロイの後端側には二股部が形成され、該二股部に、前記上側小片部と前記下側小片部とが挟み込まれる上記（１）に記載の眼鏡の丁番構造に存する。
【００１２】
また、本発明は、（７）、前記テンプル折返し部には、前記連結部材より前方の位置で前記ヨロイと当接し且つ前記テンプルの回動を止めるための回止め突起が設けられた上記（６）に記載の眼鏡の丁番構造に存する。
【００１３】
また、本発明は、（８）、ヨロイにテンプルを連結部材を介して回動自在に取り付ける眼鏡の丁番構造であって、前記連結部材は、弾性を有し、且つ上側小片部と、下側小片部と、前記上側小片部と前記下側小片部とを連結する柱状部と、を有し、前記ヨロイは、前記柱状部に引掛けるために前記ヨロイの後端側が折り返されて形成されるヨロイ折返し部を有し、前記テンプルの先端側は、前記連結部材の前記上側小片部と前記下側小片部とを挟み込める形状にされ、テンプルとヨロイが互いに交差するように連結部材に取り付けられた状態で、ヨロイのヨロイ折返し部が連結部材により弾圧されている眼鏡の丁番構造に存する。
【００１４】
また、本発明は、（９）、前記テンプルは薄板状に形成され、前記テンプルには前記連結部材を挟み込むためのスリットが形成された上記（８）に記載の眼鏡の丁番構造に存する。
【００１５】
また、本発明は、（１０）、前記上側小片部と前記下側小片部には、前記テンプルの前記スリットの周囲が嵌り込む嵌り込み溝が形成されている上記（９）に記載の眼鏡の丁番構造に存する。
【００１６】
また、本発明は、（１１）、前記テンプル及び前記ヨロイは、帯状の線材で形成されている上記（１）に記載の眼鏡の丁番構造に存する。
【００１７】
なお、本発明の目的に添ったものであれば、上記発明を適宜組み合わせた構成も採用可能である。
【発明の効果】
【００１８】
本発明の丁番構造によれば、テンプルは、柱状部に引掛けるためにテンプルの先端側が折り返されたテンプル折返し部を有し、ヨロイの後端側は、連結部材の上側小片部と下側小片部とを挟み込める形状にされており、テンプルとヨロイが互いに交差するように連結部材に取り付けられた状態で、テンプル折返し部が連結部材により弾圧されている。
そのため、連結部材によりテンプル折返し部が弾圧（付勢）されながら一定の回動抵抗が得られる。  
【００１９】
また、ヨロイの後端側が連結部材に挟み込むように取り付けられ、テンプル折返し部を押圧しているために、長期に眼鏡使用をし、テンプルを幾度も回動させてもその回動抵抗が殆ど低下しない。
【００２０】
また、ヨロイとテンプルを逆態様にした場合、例えばヨロイがヨロイ折返し部を有し、該ヨロイ折返し部が連結部材の柱状部に引掛けられ、テンプルの後端側が連結部材の上側小片部と下側小片部とを挟み込む場合でも、同様の効果を奏する。
【発明を実施するための最良の形態】
【００２１】
以下、本発明を実施するための最良の形態を図面を用いて説明する。
〔第一実施形態〕
図１は本発明の眼鏡の丁番構造の第一実施形態を含む眼鏡を示している。
この第一実施形態の眼鏡の丁番構造は、ヨロイＹにテンプルＴを小片状の連結部材Ｃを介して回動自在に取り付けた眼鏡の丁番構造である。
ヨロイＹは、略Ｌ字形状をしており、眼鏡後方に延出したＬ字長辺の上端がＵ字状に折り返されている。
すなわち、ヨロイＹの後端側は、連結部材Ｃを挟み込める形状となっている。
同様に、テンプルＴの先端側もＵ字状に折り返されている。
ヨロイＹとテンプルＴは、次に述べる連結部材Ｃに互いに交差するようにして取り付けられる。
【００２２】
連結部材Ｃは、図２に示すように、上側小片部Ｃａと、下側小片部Ｃｂと、上側小片部Ｃａと下側小片部Ｃｂとを連結する柱状部Ｃｃと、を有している。
また、連結部材Ｃは、弾性を有するように、例えば、全体が合成樹脂を材料として一体成形されている。
もっとも、連結部材Ｃは、上側小片部Ｃａ、下側小片部Ｃｂ、及び柱状部Ｃｃを別体部品として成形し、上側小片部Ｃａと下側小片部Ｃｂに各々小さめの孔を形成しておき、該孔に柱状部Ｃｃを圧入することで一体化することも可能である。
この場合、上側小片部Ｃａと下側小片部Ｃｂの間隔を調整できる利点がある。
【００２３】
上側小片部Ｃａには、平板状である直方体の一面側にその長手方向に沿ってヨロイＹが嵌り込むための嵌り込み溝Ｃａ１が形成されており、上側小片部Ｃａは断面凹形状をしている。
下側小片部Ｃｂは、上側小片部Ｃａと同様な形状をしており、ヨロイＹが嵌り込む嵌り込み溝Ｃｂ１が形成されている。
断面凹形状の上側小片部Ｃａと下側小片部Ｃｂとは、嵌り込み溝Ｃａ１，Ｃｂ１を背に向けながら面対称の配置状態となっている。
【００２４】
テンプルＴは、上述したようにその先端側がＵ字状に折り返されたテンプル折返し部Ｔａが形成され、それを連結部材Ｃの柱状部Ｃｃに引掛かけることができる。
【００２５】
ここで、テンプルＴの先端側のＵ字状の折返し形状は、より具体的には、半円以上の円弧を描いた後、僅かな長さの先端部分がやや外方に向けて折り曲げられた形状となっている。
このような形状をしているのは、柱状部Ｃｃに対してテンプルＴのテンプル折返し部Ｔａが取り付け易いように、且つ取り付けた後は、そのテンプル折返し部Ｔａが柱状部Ｃｃから容易に外れないようにするためである。
【００２６】
一方、ヨロイＹは、上述したように一端がＵ字状に折り返されてヨロイ折返し部Ｙａが形成されており、連結部材Ｃの上側小片部Ｃａと下側小片部Ｃｂとを押圧するように強く挟み込むことができる。
【００２７】
ヨロイ折返し部Ｙａは、板状の上側小片部Ｃａと下側小片部Ｃｂとを挟み込んだ際、連結部材ＣがテンプルＴから外れないように、その先端にやや内側に折り曲げ部を形成するとよい。
【００２８】
さて、ヨロイＹ、テンプルＴ及び連結部材Ｃの組付けは、次のようにして行われる。
先ず、テンプル折返し部Ｔａをバネ力に抗してやや拡げた状態で、連結部材Ｃの柱状部Ｃｃに引掛けるようにし且つ引き込んでテンプルＴを連結部材Ｃに取り付ける。
次いで、テンプルＴをテンプルＴを閉じる方向に回動させた状態で、ヨロイＹを連結部材Ｃに取り付ける。
このヨロイＹを連結部材Ｃに取り付ける際も、テンプルＴと同様にヨロイ折返し部Ｙａをバネ力に抗してやや拡げた状態にして押し入れる。
ヨロイＹのヨロイ折返し部Ｙａは、連結部材Ｃの嵌り込み溝Ｃａ１，Ｃｂ１に嵌り込むこととなる。
【００２９】
このようにしてテンプルＴ及びヨロイＹを互いに交差するように連結部材Ｃに差し込むことで簡単にテンプルＴ、ヨロイＹ及び連結部材Ｃを相互に組み付けることができる。
図３（ａ）は、テンプルＴとヨロイＹとが直交している状態を示す。
【００３０】
図３（ａ）に示すテンプルＴをヨロイＹに固定された連結部材Ｃを中心に回動させると、図３（ｂ）に示すように、テンプルＴの一部がヨロイ折返し部Ｙａに当接し、テンプルＴの回動が止まる。
【００３１】
図４は図３（ｂ）のIV−IV線に沿う断面を示している。
ヨロイＹは、その先端側のＵ字状のヨロイ折返し部Ｙａがやや拡げられた状態で嵌り込み溝Ｃａ１，Ｃｂ１に嵌合させられており、このＵ字状の復元力により連結部材Ｃに押圧加重が加わる。
一方、テンプルＴは上側小片部Ｃａと下側小片部Ｃｂとの間で弾圧力による付勢を受けた状態で挟み込まれる。
そのため、テンプルＴを回動中に所定の回動抵抗を発生させることができる。
また、連結部材Ｃが回動抵抗により磨耗しても、ヨロイＹによる連結部材Ｃに対する押圧力が加わっているために回動抵抗が維持される。
長期に渡り眼鏡を使用しテンプルＴを幾度も回動させてもテンプルＴの回動抵抗が低下することは殆どない。
【００３２】
図５、図６及び図７は、それぞれ連結部材Ｃの変形例を示している。
図５（ｂ）、図６（ｂ）及び図７（ｂ）は、それぞれ図５（ａ）、図６（ａ）、及び図７（ａ）の連結部材Ｃに、テンプルＴとヨロイＹとを組み付けた形態の横断面を示している。
図５（ａ）に示す連結部材Ｃは、図２に示した連結部材Ｃと比べて、テンプルＴが積極的にオーバー回動を行うことができる利点がある。
そのためテンプルＴとヨロイＹとが一直線上にある場合、すなわちテンプルＴを最大限開いた場合に、テンプルＴが外方に多少回動ができるように自由度を設けたものである。  この自由度はテーパ状の乗り上げ面Ｃａ２，Ｃｂ２を有することにより可能となる。
【００３３】
図６（ａ）に示す連結部材Ｃは、図２に示した連結部材Ｃと比べて、上側小片部Ｃａ及び下側小片部Ｃｂとの間に角度を設けた点で異なる。
テンプルＴが使用前、すなわち、まだ開いていない状態からより開く方向に回動させる場合を想定すると、その初期の開き始めの段階でテンプルＴに弾圧力が大きく作用するようしたものである。
テンプルが不用意に開かないために安全である。
【００３４】
図７（ａ）に示す連結部材Ｃは、図２に示した連結部材Ｃと比べて、ヨロイＹが嵌まり込む嵌り込み溝Ｃａ１，Ｃｂ１の角部が斜めに面取りされた点で異なる。
この面取り形状は、断面凹形状の溝の内側角部を切込み深さを変更しながら切り込んで開口側に向けて末広がりに傾斜した乗り上げ面Ｃａ４，Ｃｂ４を形成した形である。
【００３５】
このように嵌り込み溝Ｃａ１，Ｃｂ１に乗り上げ面Ｃａ４，Ｃｂ４が形成されているので、テンプルＴとヨロイＹとが一直線上にある場合（テンプルＴを最大限開いた場合）に、更にヨロイＹが傾斜面を乗り上げることができる。
その結果、テンプルＴは更にオーバー回動をするようになるが、この場合、連結部材ＣもテンプルＴと同体となって回動する。
【００３６】
〔第二実施形態〕
図８は本発明の眼鏡の丁番構造の第二実施形態を示している。
この第二実施形態の眼鏡の丁番構造は、第一実施形態の眼鏡の丁番構造と比べて、テンプルＴ及びヨロイＹの形状が異なる。
ヨロイＹには、その後端側に二股部Ｙｂが形成されており、また、テンプルＴのテンプル折返し部Ｔａには、回止め突起Ｔｂが設けられている。
回止め突起Ｔｂは、例えば、ろう付け、またはプレス加工等により取り付けることができる。
【００３７】
回止め突起Ｔｂが形成されているのは、前述した実施の形態のように、例えばヨロイＹの後端側がＵ字状に折り返された場合はヨロイ折返し部ＹａにテンプルＴが当接するが、この実施の形態のように二股状の場合はテンプルＴが当接する部分がないからである。
【００３８】
図９は、テンプルＴとヨロイＹとが一直線となった場合を示すもので、ヨロイＹの二股部Ｙｂの基部Ｙｃに、上側小片部Ｃａと下側小片部Ｃｂとが当接してテンプルＴが停止されている。
【００３９】
図１０（ａ）ないし図１０（ｃ）は、参考までにテンプルＴを連結部材Ｃを中心に回動させた場合を示している。
図１０（ａ）はテンプルＴを閉じた状態を示している。
テンプルＴはヨロイＹに対して垂直に配置されており、テンプル折返し部Ｔａの回止め突起Ｔｂは、連結部材Ｃの位置より眼鏡幅方向の側方の位置にある。
そして、テンプルＴを開く方向にテンプルＴを回動させ、図１０（ｂ）に示すように、テンプルＴがヨロイＹとがほぼ一直線上にある状態にまでテンプルＴを回動させて開くと、回止め突起ＴｂはヨロイＹに当接する。
【００４０】
この状態から更にテンプルＴを開く方向にテンプルＴを回動させると、図１０（ｃ）に示すように、テンプル折返し部Ｔａが拡開するように変形し、テンプルＴはややオーバー回動できる。
【００４１】
〔第三実施形態〕
図１１は本発明の眼鏡の丁番構造の第三実施形態を示している。
この第三実施形態のテンプルＴ及びヨロイＹは、帯状の線材で形成されている点で、第一実施形態（テンプルＴ及びヨロイＹは、丸線材で形成されている）のものと異なる。
これら帯状のテンプルＴ及びヨロイＹの帯幅に併せて、連結部材Ｃの嵌り込み溝Ｃａ１，Ｃｂ１の幅は設定されている。
【００４２】
図１２は、テンプルＴを閉じた状態からテンプルＴがヨロイＹとがほぼ一直線上にある状態にまで開いた状態を示す。
なお連結部材Ｃにテーパ状の乗り上げ面を有する嵌り込み溝Ｃａ３，Ｃｂ３が形成されているため、図５に示す例と同じようにオーバー回動が可能である。
図１３は、図１２のXIII−XIII線に沿う断面を示す。
【００４３】
この第三実施形態では、テンプルＴは帯状の線材であるので、連結部材Ｃとの接触面積が多くなるためにテンプルＴの回動抵抗も大きく取ることができる。
また、ヨロイＹも帯状の線材であるので、連結部材Ｃの横滑りが起こりにくく、そのため、必ずしも嵌り込み溝Ｃａ１、嵌り込み溝Ｃｂ１の二つを設けなくてもよく一つでも採用可能である。
【００４４】
〔第四実施形態〕
図１４は本発明の眼鏡の丁番構造の第四実施形態を示している。
この第四実施形態の眼鏡の丁番構造は、第一実施形態の眼鏡の丁番構造と同様に、ヨロイＹにテンプルＴを小片状の連結部材Ｃを介して回動自在に取り付けた眼鏡の丁番構造である。
【００４５】
図１５は、図１４の眼鏡の丁番構造を展開して示した図である。
ヨロイＹは、連結部材Ｃの柱状部Ｃｃに引掛けるために該ヨロイＹの後端側が折り返されて形成されるヨロイ折返し部Ｙａを有している。
【００４６】
テンプルＴは、帯状に形成され、その先端側は、連結部材Ｃの上側小片部Ｃａと下側小片部Ｃｂとを挟み込める形状となっている。
具体的には、連結部材Ｃを挟み込むためのスリットＴｃ（細幅部Ｔｃ１と広幅部Ｔｃ２よりなる）がテンプル長手方向に沿って形成されている。
そして、スリットＴｃの広幅部Ｔｃ２に連結部材Ｃを挿入し、そのまま移動させると細幅部Ｔｃ１に連結部材Ｃが嵌み込んで取り付けられる。
ヨロイＹは既に述べたように連結部材Ｃの嵌り込み溝Ｃａ１，Ｃｂ１に嵌まって弾圧力を受ける。
【００４７】
この例では、連結部材ＣはテンプルＴのスリットＴｃ細幅部Ｔｃ１に確実に且つ強固に嵌り込んで取り付けられるために、連結部材Ｃを押圧する力を十分に確保することができる。
その結果、連結部材ＣがヨロイＹを弾圧する力が大きくなる利点がある。
【００４８】
以上、本発明を説明してきたが、本発明は上述した実施形態にのみ限定されるものではなく、その本質を逸脱しない範囲で、種々の変形が可能であることはいうまでもない。
例えば、上述した第一ないし第三実施形態では、連結部材Ｃの上下面にヨロイＹが嵌り込む嵌り込み溝Ｃａ１，Ｃｂ１を形成した例について説明したが、嵌り込み溝Ｃａ１，Ｃｂ１は、上側小片部Ｃａと下側小片部Ｃｂとのうちの少なくとも一方に形成することも可能である。
【００４９】
また上述した第一ないし第三実施形態の連結部材Ｃに対する取り付け位置を逆態様にすることも当然可能である。
【図面の簡単な説明】
【００５０】
【図１】図１は、本発明の眼鏡の丁番構造の第一実施形態を含む眼鏡を示す説明図である。
【図２】図２は、図１の眼鏡の丁番構造を分解して斜視的に示す説明図である。
【図３】図３は、図１の眼鏡の丁番構造を拡大して示す説明図であり、（ａ）はテンプルを閉じた状態を示しており、（ｂ）はテンプルを開いた状態を示している。
【図４】図４は、図３（ｂ）のIV−IV線に沿う断面を示す説明図である。
【図５】図５は、本発明の眼鏡の丁番構造の第一実施形態に用いる連結部材の変形例を示す説明図であり、（ａ）は斜視図、また（ｂ）は連結部材にテンプル及びヨロイを取り付けた場合の横断面図である。
【図６】図６は、本発明の眼鏡の丁番構造の第一実施形態に用いる連結部材の変形例を示す説明図であり、（ａ）は斜視図、また（ｂ）は連結部材にテンプル及びヨロイを取り付けた場合の横断面図である。
【図７】図７は、本発明の眼鏡の丁番構造の第一実施形態に用いる連結部材の変形例を示す説明図であり、（ａ）は斜視図、また（ｂ）は連結部材にテンプル及びヨロイを取り付けた場合の横断面図である。
【図８】図８は、本発明の眼鏡の丁番構造の第二実施形態を分解して斜視的に示す説明図である。
【図９】図９は、本発明の眼鏡の丁番構造の第二実施形態を示す説明図である。
【図１０】図１０は、テンプルを連結部材を中心に回動させた場合の形態の変化を示す説明図であり、（ａ）はテンプルを閉じた状態、（ｂ）はテンプルとヨロイとがほぼ一直線上になった状態、及び（ｃ）はテンプルがオーバー回動した状態を示している。
【図１１】図１１は、本発明の眼鏡の丁番構造の第三実施形態を分解して斜視的に示す説明図である。
【図１２】図１２は、本発明の眼鏡の丁番構造の第三実施形態を示す説明図であり、（ａ）はテンプルを閉じた状態、及び（ｂ）はテンプルとヨロイとがほぼ一直線上になった状態を示している。
【図１３】図１３は、図１２のXIII−XIII線に沿う断面を示す説明図である。
【図１４】図１４は、本発明の眼鏡の丁番構造の第四実施形態を示す説明図である。
【図１５】図１５は、本発明の眼鏡の丁番構造の第四実施形態を展開して斜視的に示す説明図である。
【符号の説明】
【００５１】
Ｃ  連結部材
Ｃａ  上側小片部
Ｃｂ  下側小片部
Ｃａ１，Ｃｂ１  嵌り込み溝
Ｃａ２，Ｃｂ２  乗り上げ面
Ｃａ３，Ｃｂ３  嵌り込み溝
Ｃａ４，Ｃｂ４  乗り上げ面
Ｃｃ  柱状部
Ｔ  テンプル
Ｔａ  テンプル折返し部
Ｔｂ  回止め突起
Ｔｃ  スリット
Ｔｃ１  細幅部
Ｔｃ２  広幅部
Ｙ  ヨロイ
Ｙａ  ヨロイ折返し部
Ｙｂ  二股部
Ｙｃ  基部
【図１】
2007101974.tif 000003
【図２】
2007101974.tif 000004
【図３】
2007101974.tif 000005
【図４】
2007101974.tif 000006
【図５】
2007101974.tif 000007
【図６】
2007101974.tif 000008
【図７】
2007101974.tif 000009
【図８】
2007101974.tif 000010
【図９】
2007101974.tif 000011
【図１０】
2007101974.tif 000012
【図１１】
2007101974.tif 000013
【図１２】
2007101974.tif 000014
【図１３】
2007101974.tif 000015
【図１４】
2007101974.tif 000016
【図１５】
2007101974.tif 000017